【手続補正書】
【提出日】平成27年7月29日(2015.7.29)
【手続補正１】
【補正対象書類名】明細書
【補正対象項目名】０００６
【補正方法】変更
【補正の内容】
【０００６】
本発明の目的は、遊技者に対して興趣の高い予告を行うことを可能とすることである。
【手続補正２】
【補正対象書類名】明細書
【補正対象項目名】０００７
【補正方法】変更
【補正の内容】
【０００７】
以上の課題を解決するため、請求項１に記載の発明は、始動入賞領域への遊技球の入賞に基づき、識別情報を変動表示する変動表示ゲームを実行可能な変動表示装置を備え、
前記変動表示ゲームの停止結果が予め定めた特別結果となった場合に、遊技者にとって有利な特別遊技状態を発生させる遊技機において、
前記始動入賞領域への遊技球の入賞に基づき、前記変動表示ゲームの実行権利となる所定の乱数を抽出し、所定数を上限に記憶する始動入賞記憶手段と、
前記変動表示ゲームの実行権利を遊技者に認識可能な実行権利表示として表示する実行権利表示手段と、
前記変動表示ゲームの実行権利に対応する前記所定の乱数を、当該実行権利に基づく変動表示ゲームの実行前に判定する判定手段と、
前記変動表示ゲームにおける演出制御を実行する演出制御手段と、
を備え、
前記演出制御手段は、
所定の演出実行条件の成立に基づいて、特定演出を実行するか否かを決定することが可能な特定演出実行決定手段と、
前記特定演出実行決定手段によって前記特定演出が実行されると決定された場合に、前記特定演出を実行することが可能な特定演出実行制御手段と、を備え
前記実行権利表示手段によって表示される実行権利表示の表示態様には、当該実行権利に対応する前記判定手段の判定結果を示唆するように設定された複数種類の表示態様が含まれ、
前記判定手段の判定結果に基づいて、前記複数種類の表示態様のうちから対象となる実行権利に対応した実行権利表示の表示態様を選択可能であり、
前記特定演出実行制御手段は、
前記特定演出として、前記対象となる実行権利に基づく変動表示ゲームが実行されるまでの期間において、当該対象となる実行権利に対応した実行権利表示に対して所定の演出表示が所定の動作を行うことで、当該所定の動作に対応して、当該実行権利表示の表示態様を前記複数種類の表示態様のうちの一の表示態様に設定することが可能な演出を複数回実行可能であり、
前記特定演出において、前記対象となる実行権利表示に対して所定の演出表示が所定の動作を行っても、当該対象となる実行権利表示の表示態様を変化させない演出を行うことが可能であることを特徴とする。
【手続補正３】
【補正対象書類名】明細書
【補正対象項目名】０００８
【補正方法】変更
【補正の内容】
【０００８】
ここで、所定の乱数には、特別結果となるか否かを決定するための大当り乱数、特別結果の種類を決定するための大当り図柄乱数、変動表示ゲームの変動パターン（変動態様）を決定するための変動パターン乱数等を含む。
【手続補正４】
【補正対象書類名】明細書
【補正対象項目名】０００９
【補正方法】変更
【補正の内容】
【０００９】
請求項１に記載の発明によれば、遊技者に対して興趣の高い予告を行うことができる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
本発明によれば、遊技者に対して興趣の高い予告を行うことができる。
【手続補正１８】
【補正対象書類名】明細書
【補正対象項目名】０７０７
【補正方法】変更
【補正の内容】
【０７０７】
以上のような遊技機１０は、始動入賞領域（始動入賞口３６、普通変動入賞装置３７）への遊技球の入賞に基づき、識別情報を変動表示する変動表示ゲームを実行可能な変動表示装置（特図１表示器５１、特図２表示器５２、表示装置４１）を備え、変動表示ゲームの停止結果が予め定めた特別結果となった場合に、遊技者にとって有利な特別遊技状態を発生させる遊技機であって、始動入賞領域への遊技球の入賞に基づき、所定の乱数を抽出し変動表示ゲームの実行権利となる始動記憶として所定数を上限に記憶する始動入賞記憶手段（遊技制御装置１００）と、始動入賞記憶手段に記憶されている始動記憶に対応する始動記憶表示４１ｂを変動表示装置に表示する始動記憶表示制御手段（演出制御装置３００）と、始動入賞記憶手段に始動記憶として記憶されている乱数を、当該始動記憶に基づく変動表示ゲームが実行されるよりも前に判定する事前結果判定手段（遊技制御装置１００）と、変動表示装置に表示される表示内容を制御する表示制御手段（演出制御装置３００）と、を備え、表示制御手段は、始動記憶と対応する始動記憶表示４１ｂの表示態様を、該始動記憶に対する事前結果判定手段の判定結果に関連して、通常表示態様とは異なる特定表示態様に制御可能な表示態様制御手段（演出制御装置３００）と、特定表示態様に制御された始動記憶表示４１ｂを動作させることを含む所定演出を実行して、実行中の変動表示ゲーム又は始動入賞記憶手段に記憶されている始動記憶に基づいて実行される変動表示ゲームの停止結果に関連する情報を報知する情報報知手段（演出制御装置３００）と、を備え、変動表示装置における表示領域には、識別情報を変動表示する変動表示領域８０と、始動記憶表示４１ｂを表示する始動記憶表示領域４１ａと、がそれぞれ設定され、情報報知手段は、特定表示態様に制御された始動記憶表示４１ｂを始動記憶表示領域４１ａから変動表示領域８０に移動させ、該始動記憶表示４１ｂの移動に基づいて識別情報の変動態様を変化させるようにしている。
ここで、所定の乱数には、特別結果となるか否かを決定するための大当り乱数、特別結果の種類を決定するための大当り図柄乱数、変動表示ゲームの変動パターン（変動態様）を決定するための変動パターン乱数等を含む。また、変動表示ゲームの停止結果に関連する情報とは、停止結果そのもの（大当り乱数、大当り図柄乱数の判定情報）や停止結果が導出されるまでの過程（変動パターン乱数の判定情報）などを含む。
また、通常表示態様とは、遊技者に特別な期待感を持たせないものであればなんでもよく、特定表示態様とは、通常表示態様と異なることで遊技者に期待感を持たせるものであればよく、色を変えるもの、大きさを変えるもの、形状を変えるもの、点滅させるものなどを含む。
また、始動記憶表示を動作させるとは、表示位置を変更するもの、変動表示ゲームのように始動記憶表示が変動表示されるもの、始動記憶表示の中身だけが動作する（◎であれば中の小さい丸だけが移動し○だけが残る）もの、などを含む。
また、識別情報の変動態様を変化させるとは、識別情報の変動を停止させるもの、変動のスピードを変化させるもの、仮停止していたものを再変動させるもの、識別情報の種類を増減させるもの、変動方向を変化させるもの、変動ライン数を変化させるもの、などを含む。
【手続補正１９】
【補正対象書類名】特許請求の範囲
【補正対象項目名】全文
【補正方法】変更
【補正の内容】
【特許請求の範囲】
【請求項１】
始動入賞領域への遊技球の入賞に基づき、識別情報を変動表示する変動表示ゲームを実行可能な変動表示装置を備え、
前記変動表示ゲームの停止結果が予め定めた特別結果となった場合に、遊技者にとって有利な特別遊技状態を発生させる遊技機において、
前記始動入賞領域への遊技球の入賞に基づき、前記変動表示ゲームの実行権利となる所定の乱数を抽出し、所定数を上限に記憶する始動入賞記憶手段と、
前記変動表示ゲームの実行権利を遊技者に認識可能な実行権利表示として表示する実行権利表示手段と、
前記変動表示ゲームの実行権利に対応する前記所定の乱数を、当該実行権利に基づく変動表示ゲームの実行前に判定する判定手段と、
前記変動表示ゲームにおける演出制御を実行する演出制御手段と、
を備え、
前記演出制御手段は、
所定の演出実行条件の成立に基づいて、特定演出を実行するか否かを決定することが可能な特定演出実行決定手段と、
前記特定演出実行決定手段によって前記特定演出が実行されると決定された場合に、前記特定演出を実行することが可能な特定演出実行制御手段と、を備え
前記実行権利表示手段によって表示される実行権利表示の表示態様には、当該実行権利に対応する前記判定手段の判定結果を示唆するように設定された複数種類の表示態様が含まれ、
前記判定手段の判定結果に基づいて、前記複数種類の表示態様のうちから対象となる実行権利に対応した実行権利表示の表示態様を選択可能であり、
前記特定演出実行制御手段は、
前記特定演出として、前記対象となる実行権利に基づく変動表示ゲームが実行されるまでの期間において、当該対象となる実行権利に対応した実行権利表示に対して所定の演出表示が所定の動作を行うことで、当該所定の動作に対応して、当該実行権利表示の表示態様を前記複数種類の表示態様のうちの一の表示態様に設定することが可能な演出を複数回実行可能であり、
前記特定演出において、前記対象となる実行権利表示に対して所定の演出表示が所定の動作を行っても、当該対象となる実行権利表示の表示態様を変化させない演出を行うことが可能であることを特徴とする遊技機。